(57)【要約】【課題】物干し竿掛けにおいて風により騒音を発生しないシンプルで長持ちのする物干し竿掛けを得る。【解決手段】竿掛けアーム８の基部１５に穿設した長手方向に伸びる長孔１２に前記アーム枢着軸９を該長孔の範囲で摺動及び回動自在に枢設し、該竿掛けアーム８の基部１５の回転方向下側の一端にアーム固定軸嵌着部１６を設け、該アーム固定軸嵌着部１６が前記アーム挟持部７に植設されたアーム固定軸１０に嵌着すると前記竿掛けアーム８の長手方向が水平方向から略４０度に保持される物干し竿掛け。【選択図】図２
2004337265.tif 000002
【特許請求の範囲】
【請求項１】
バルコニー手摺を構成するコンクリート立ち上がり壁等に固定される支柱固定金具、該支柱固定金具に支持内挿されされ上下方向に摺動自在でストッパーを介して摺動方向に連結釈放可能な摺動ロットからなる支柱、該支柱上端部に冠着され竿掛けアーム挟持部を突出したアーム固定金具、該アーム固定金具の竿掛けアーム挟持部にアーム枢着軸にて枢着される竿掛けアームあって、
前記竿掛けアームの基部に穿設した長手方向に伸びる長孔に前記アーム枢着軸を該長孔の範囲で摺動及び回動自在に枢設し、該竿掛けアームの基部の回転方向下側の一端にアーム固定軸嵌着部を設け、該アーム固定軸嵌着部が前記アーム挟持部に植設されたアーム固定軸に嵌着すると前記竿掛けアーム長手方向が水平方向から略４０度に保持されることを特徴とする物干し竿掛けに於ける竿掛けアーム。
【請求項２】
前記竿掛けアームは長手方向中心部に長孔を穿設してあり、該長孔の長さはアーム全長の２分の１以内の長さとし、他端は物干し竿挿入孔が複数個穿設されている請求項１記載の物干し竿掛けに於ける竿掛けアーム。
【請求項３】
前記竿掛けアームは長手方向中心部に長孔を穿設してあり、該長孔の長さはアーム全長の２分の１以上の長さとし、該部分に本来位置する物干し竿挿入孔は前記長孔の下部に竿掛けアームを突出した形状に製作して穿設されている請求項１記載の物干し竿掛けに於ける竿掛けアーム。
【請求項４】
前記竿掛けアームは該アームの長手方向下部の縁部に長孔を穿設してあり、該長孔の長さはアーム全長の２分の１以内の長さとし、該長孔の上部には物干し竿挿入孔が複数個穿設されている請求項１記載の物干し竿掛けに於ける竿掛けアーム。
【請求項５】
前記竿掛けアームの長手方向上部縁部にはアーム固定金具の竿掛けアーム挟持部上端に刻設された固定溝に嵌着する鍔状突起が突設されており、該竿掛けアームが鉛直位置になるよう回動して収納状態にある場合に前記鍔状突起が固定溝に嵌着していることを特徴とする請求項１記載の物干し竿掛けに於ける竿掛けアーム及びアーム固定具。
【発明の詳細な説明】
【０００１】
【発明の属する技術分野】
本発明は伸長して長尺物を高く掛け干し、また収納時に物干し竿を取り外すことなく上向き方向に竿か掛けアームを回動させて収納可能な物干し竿掛けに於ける竿掛けアーム及びアーム固定金具に関するものである。
【０００２】
【従来の技術】
従来より竿掛けアームを回動させて上向き方向に収納するタイプの物干し竿掛けとして特開２００１−２５６００が知られている。
【０００３】
即ち、その構成は、ベランダ柵支柱等に取り付けられる側５０に固定部材５１を固定し、該固定部材５１にアーム部材５２が設けられているものであり、前記、アーム部材５２に穿設した挿通孔５３、５３・・・に挿通支持される物干し竿を使用しない時には該アーム部材５２を鉛直方向に位置させている。
【０００４】
前記アーム部材５２は長さが比較的短く形成されており、支持軸５４よりも上方に該アーム部材５２の重心があるため、突体５５によってアーム部材５２を支持するようになる。そして使用時には、該アーム部材５２を一旦上方に引き上げ（矢印Ａ方向）、且つこの状態で回動し（矢印Ｂ方向）、該アーム部材５２の係止部５６と前記突体５５の係止部受け５７とが係合することによって該アーム部材５２は所定の角度位置で斜めに係止され、該アーム部材５２により支持された物干し竿５８に干し物を干す。
【０００５】
物干し竿収納時には、前記と逆に物干し竿を持って該アーム部材５２が鉛直位置になる状態に回動し、この状態で該アーム部材５２の長孔５９に沿って下降させるようにする。
【０００６】
【発明が解決しようとする課題】
上記構成では、前記アーム部材５２の部分切欠き形状である係止部５６と突体５５に同様に形成された係止部受け５７が係合し、該係合の歯止めとして長孔５９内を摺動する支持軸５４が形成されているため、数年の使用で支持軸５４が摩耗し少しでもガタツキが生じてくると、係止部５６及び係止部受け５７が互いにすり減ってしまい正常な係止状態が保てなくなつてしまう。
【０００７】
また、上記構成では、アーム部材５２の鉛直上向き状態での収納は、支持軸５４よりも上方にアーム部材５２の重心があり不安定であり、且つ収納時のアーム部材５２の保持状態が、前記支持軸５４と突体５５面と該アーム部材５２側面の接触のみにてなされていることから、風によりカタカタと騒音を発生させてしまう。
【０００８】
而して、本発明は上記問題に鑑みてなされたもので、耐用年数が長く、アーム部材の収納時に風によって騒音を発しない物干し竿掛けに於ける竿掛けアーム及びアーム固定金具を提供することを目的とするものである。
【０００９】
【課題を解決するための手段】
本発明の物干し竿掛けに於ける竿掛けアーム及びアーム固定具は、バルコニー手摺を構成するコンクリート立ち上がり壁等に固定される支柱固定金具、該支柱固定金具に支持内挿されされ上下方向に摺動自在でストッパーを介して摺動方向に連結釈放可能な摺動ロットからなる支柱、該支柱上端部に冠着され竿掛けアーム挟持部を突出したアーム固定金具、該アーム固定金具の竿掛けアーム挟持部にアーム枢着軸にて枢着される竿掛けアームあって、前記竿掛けアームの基部に穿設した長手方向に伸びる長孔に前記アーム枢着軸を該長孔の範囲で摺動及び回動自在に枢設し、該竿掛けアームの基部の回転方向下側の一端にアーム固定軸嵌着部を設け、該アーム固定軸嵌着部が前記アーム挟持部に植設されたアーム固定軸に嵌着すると前記竿掛けアーム長手方向が水平方向から略４０度に保持可能に構成した。
【００１０】
而して、本発明の竿掛けアームは、長手方向中心部に長孔を穿設してあり、該長孔の長さはアーム全長の２分の１以内の長さとし、他端は物干し竿挿入孔が複数個穿設されている形状の竿掛けアームとした。
【００１１】
また、本発明の竿掛けアームは長手方向中心部に長孔を穿設してあり、該長孔の長さはアーム全長の２分の１以上の長さとし、該部分に本来位置する物干し竿挿入孔は前記長孔の下部に竿掛けアームを突出した形状に製作して穿設されてい竿掛けアームとした。
【００１２】
更に本発明の竿掛けアームの形状は、該アームの長手方向下部の縁部に長孔を穿設してあり、該長孔の長さはアーム全長の２分の１以内の長さとし、該長孔の上部には物干し竿挿入孔が複数個穿設されているものとした。
【００１３】
斯くして、本発明においては、竿掛けアームの長手方向上部縁部にはアーム固定金具の竿掛けアーム挟持部上端に刻設された固定溝に嵌着する鍔状突起が突設されており、該竿掛けアームが鉛直位置になるよう回動して収納状態にある場合に前記鍔状突起が固定溝に嵌着していることで、竿掛けアーム部材の鉛直上向き状態での収納は、枢着軸よりも上方に竿掛けアームの重心があって不安定であっても、収納時の竿掛けアームの保持状態が、前記固定溝と鍔状突起の嵌着にて保持されているために、風によりカタカタと騒音を発生させることはない。
【００１４】
また、本発明のおいては、竿掛けアームの角度保持が、竿掛けアームの基部に穿設した長手方向に伸びる長孔に前記アーム枢着軸を該長孔の範囲で摺動及び回動自在に枢設し、該竿掛けアームの基部の回転方向下側の一端にアーム固定軸嵌着部を設け、該アーム固定軸嵌着部が前記アーム挟持部に植設されたアーム固定軸に嵌着する構成とすることにより、摩耗に依るガタツキを減らし耐用年数の長い物干し竿掛けの竿掛けアーム及びアーム固定金具を提供する。
【００１５】
【発明の実施の形態】
【実施例１】
本発明の実施例を図１乃至図６に基づき説明する。図１は本発明の物干し竿掛けを説明する側面図、図２は要部拡大作動説明図、図３及び図４は竿掛けアームの形状説明図で、図３は正面図、図４は平面図、図５及び図６は本発明のアーム固定金具を示す説明図で、図５は正面図、図６は平面図を示している。
【００１６】
図１に於いて、１はバルコニーやベランダの手摺を構成するコンクリート立ち上がり壁、２は該コンクリート立ち上がり壁１に固定される支柱固定金具、３は該支柱固定金具２に支持内装され上下方向に摺動自在な摺動ロットからなる支柱である。
【００１７】
該支柱３は前記支柱固定金具２に内装されたストッパー４を介して前記上下摺動方向の動きをコントロールされている。
【００１８】
前記支柱３の上端部には、アーム固定金具５が冠着されており、該アーム固定具５には支柱３への冠着部６、該冠着部６から突設して設けられた竿掛けアーム挟持部７、該アーム挟持部７植設され竿掛けアーム８を枢着するアーム枢着軸９、及びアーム固定軸１０を有している。
【００１９】
また、前記アーム挟持部７上部には、二本の該アーム挟持部７に跨りアーム固定用の固定溝１１が刻設されている。
【００２０】
斯くして、前記アーム固定金具５に枢着される竿掛けアーム８は図３及び図４に示す如く、該竿掛けアーム８長手方向の中心部に長孔１２を穿設してあり、該長孔の長さは、竿掛けアーム８全体の長さＬ（図３に示す）の２分の１以内の長さとし、他端は物干し竿挿入孔１３、１３・・・とハンガー掛け孔１４、１４・・・がそれぞれ穿設されている。
【００２１】
また、前記竿掛けアーム８の基部１５の回転方向下側の一端にはアーム固定軸嵌着部１６が設けてあり、該アーム固定軸嵌着部１６は前記アーム挟持部７に植設されたアーム固定軸１０に嵌着可能に配置されており、該アーム固定軸嵌着部１６がアーム固定軸１０に嵌着した状態は、竿掛けアーム８が水平方向に対して略４０度に保持された、所謂、物干し掛けを使用して干し物をしている状態を作り出している。
【００２２】
更に、前記竿掛けアーム８の長手方向上部縁部１７には、前記アーム固定金具５の竿掛けアーム挟持部７上端に刻設された固定溝１１に嵌着する鍔状突起１６８が突設されており、該竿掛けアーム８が鉛直位置になるよう回動して図２の実線部分で示す如く竿掛けアーム８を収納状態にした場合に竿掛けアーム８を前記アーム枢着軸９と鍔状突起１８にて挟持ち、枢着軸９よりも上方に竿掛けアーム８の重心が有り不安定な支持状態でも、該部分より風でカタカタと騒音を発生する事を防止している。
【００２３】
図５及び図６のアーム固定金具５は主に前記固定溝１１の形状、枢着軸９、アーム固定軸１０の配列を示し、該配列により簡単且つ部品数の少ない安価な物干し竿掛けが得られた。
【００２４】
而して本実施例１に於いては図１に示す如く、収納状態にて鉛直位置に納まっている竿掛けアーム８は図２の竿掛けアーム８’の如く上部に伸ばした後、少し下方に回動させると、竿掛けアーム８”の如く設定された略４０度に傾き保持される。この時竿掛けアーム８基部１５下方先端部に設けられているアーム固定軸嵌着部１６はこの時強固にアーム固定軸１０に嵌着しており、該アーム固定軸嵌着部１６はその形状を大きくしっかりした形に刻設することにより長年の使用に耐えるものとした。
【００２５】
斯くして上下摺動自在な支柱３は、ストッパー４にコントロールされ上部に伸長し、干し物を竿掛けアーム８”のようにして干すことが出来る。
【００２６】
【実施例２】
実施例２に於いて、図７は本発明の物干し竿掛けを説明する側面図、図８は要部拡大作動説明図、図９及び図１０は竿掛けアームの形状説明図で、図３は正面図、図４は平面図である。
【００２７】
図７に於いて、１はバルコニーやベランダの手摺を構成するコンクリート立ち上がり壁、２は該コンクリート立ち上がり壁１に固定される支柱固定金具、３は該支柱固定金具２に支持内装され上下方向に摺動自在な摺動ロットからなる支柱である。
【００２８】
該支柱３は前記支柱固定金具２に内装されたストッパー４を介して前記上下摺動方向の動きをコントロールされている。
【００２９】
前記支柱３の上端部には、アーム固定金具５が冠着されており、該アーム固定具５には支柱３への冠着部６、該冠着部６から突設して設けられた竿掛けアーム挟持部７、該アーム挟持部７植設され竿掛けアーム８を枢着するアーム枢着軸９、及びアーム固定軸１０を有している。
【００３０】
また、前記アーム挟持部７上部には、二本の該アーム挟持部７に跨りアーム固定用の固定溝１１が刻設されている。
【００３１】
斯くして、前記アーム固定金具５に枢着される竿掛けアーム８は図９及び図１０に示す如く、該竿掛けアーム８長手方向の中心部に長孔１２を穿設してあり、該長孔の長さは、竿掛けアーム８全長の２分の１以上の長さとし、該部分に本来位置する物干し竿挿入孔１３、１３は前記長孔１２の下部に竿掛けアーム８を突出した形状にて製作して穿設されている。尚他端は物干し竿挿入孔１３、１３・・・とハンガー掛け孔１４、１４・・・がそれぞれ穿設されている。
【００３２】
また、前記竿掛けアーム８の基部１５の回転方向下側の一端にはアーム固定軸嵌着部１６が設けてあり、該アーム固定軸嵌着部１６は前記アーム挟持部７に植設されたアーム固定軸１０に嵌着可能に配置されており、該アーム固定軸嵌着部１６がアーム固定軸１０に嵌着した状態は、竿掛けアーム８が水平方向に対して略４０度に保持された、所謂、物干し掛けを使用して干し物をしている状態を作り出している。
【００３３】
更に、前記竿掛けアーム８の長手方向上部縁部１７には、前記アーム固定金具５の竿掛けアーム挟持部７上端に刻設された固定溝１１に嵌着する鍔状突起１６８が突設されており、該竿掛けアーム８が鉛直位置になるよう回動して図８の実線部分で示す如く竿掛けアーム８を収納状態にした場合に竿掛けアーム８を前記アーム枢着軸９と鍔状突起１８にて挟持ち、枢着軸９よりも上方に竿掛けアーム８の重心が有り不安定な支持状態でも、該部分より風でカタカタと騒音を発生する事を防止している。
【００３４】
而して本実施例２に於いては図７に示す如く、収納状態にて鉛直位置に納まっている竿掛けアーム８は図８の竿掛けアーム８’の如く上部に伸ばした後、少し下方に回動させると、竿掛けアーム８”の如く設定された略４０度に傾き保持される。この時竿掛けアーム８基部１５下方先端部に設けられているアーム固定軸嵌着部１６はこの時強固にアーム固定軸１０に嵌着しており、該アーム固定軸嵌着部１６はその形状を大きくしっかりした形に刻設することにより長年の使用に耐えるものとした。
【００３５】
斯くして上下摺動自在な支柱３は、ストッパー４にコントロールされ上部に伸長し、干し物を竿掛けアーム８”のようにして干すことが出来る。
【００３６】
【実施例３】
実施例３に於いて、図１１は本発明の物干し竿掛けを説明する側面図、図１２は要部拡大作動説明図、図１３及び図１４は竿掛けアームの形状説明図で、図１３は正面図、図１４は平面図である。
【００３７】
図１１に於いて、１はバルコニーやベランダの手摺を構成するコンクリート立ち上がり壁、２は該コンクリート立ち上がり壁１に固定される支柱固定金具、３は該支柱固定金具２に支持内装され上下方向に摺動自在な摺動ロットからなる支柱である。
【００３８】
該支柱３は前記支柱固定金具２に内装されたストッパー４を介して前記上下摺動方向の動きをコントロールされている。
【００３９】
前記支柱３の上端部には、アーム固定金具５が冠着されており、該アーム固定具５には支柱３への冠着部６、該冠着部６から突設して設けられた竿掛けアーム挟持部７、該アーム挟持部７植設され竿掛けアーム８を枢着するアーム枢着軸９、及びアーム固定軸１０を有している。
【００４０】
また、前記アーム挟持部７上部には、二本の該アーム挟持部７に跨りアーム固定用の固定溝１１が刻設されている。
【００４１】
斯くして、前記アーム固定金具５に枢着される竿掛けアーム８は図１３及び図１４に示す如く、該竿掛けアーム８長手方向下部の縁部に長孔１２を穿設してあり、該長孔の長さは、竿掛けアーム８全長の２分の１以内の長さとし、該長孔１２の上部には物干し竿挿入孔１３、１３・・・が複数個穿設されている。
【００４２】
また、前記竿掛けアーム８の基部１５の回転方向下側の一端にはアーム固定軸嵌着部１６が設けてあり、該アーム固定軸嵌着部１６は前記アーム挟持部７に植設されたアーム固定軸１０に嵌着可能に配置されており、該アーム固定軸嵌着部１６がアーム固定軸１０に嵌着した状態は、竿掛けアーム８が水平方向に対して略４０度に保持された、所謂、物干し掛けを使用して干し物をしている状態を作り出している。
【００４３】
更に、前記竿掛けアーム８の長手方向上部縁部１７には、前記アーム固定金具５の竿掛けアーム挟持部７上端に刻設された固定溝１１に嵌着する鍔状突起１６８が突設されており、該竿掛けアーム８が鉛直位置になるよう回動して図８の実線部分で示す如く竿掛けアーム８を収納状態にした場合に竿掛けアーム８を前記アーム枢着軸９と鍔状突起１８にて挟持ち、枢着軸９よりも上方に竿掛けアーム８の重心が有り不安定な支持状態でも、該部分より風でカタカタと騒音を発生する事を防止している。
【００４４】
而して本実施例３に於いては図１２に示す如く、収納状態にて鉛直位置に納まっている竿掛けアーム８は図１２の竿掛けアーム８’の如く上部に伸ばした後、少し下方に回動させると、竿掛けアーム８”の如く設定された略４０度に傾き保持される。この時竿掛けアーム８基部１５下方先端部に設けられているアーム固定軸嵌着部１６はこの時強固にアーム固定軸１０に嵌着しており、該アーム固定軸嵌着部１６はその形状を大きくしっかりした形に刻設することにより長年の使用に耐えるものとした。
【００４５】
斯くして上下摺動自在な支柱３は、ストッパー４にコントロールされ上部に伸長し、干し物を竿掛けアーム８”のようにして干すことが出来る。
【００４６】
斯くして、本発明は、バルコニー手摺を構成するコンクリート立ち上がり壁１等に固定される支柱固定金具２、該支柱固定金具２に支持内挿されされ上下方向に摺動自在でストッパー４を介して摺動方向に連結釈放可能な摺動ロットからなる支柱３、該支柱３上端部に冠着され竿掛けアーム挟持部７を突出したアーム固定金具５、該アーム固定金具５の竿掛けアーム挟持部７にアーム枢着軸９にて枢着される竿掛けアーム８あって、前記竿掛けアーム８の基部１５に穿設した長手方向に伸びる長孔１２に前記アーム枢着軸９を該長孔の範囲で摺動及び回動自在に枢設し、該竿掛けアーム８の基部１５の回転方向下側の一端にアーム固定軸嵌着部１６を設け、該アーム固定軸嵌着部１６が前記アーム挟持部７に植設されたアーム固定軸１０に嵌着すると前記竿掛けアーム８の長手方向が水平方向から略４０度に保持されることを特徴とする物干し竿掛けに於ける竿掛けアームを提供できた。
【００４７】
而して、上述の本発明に使用される竿掛けアーム８の形状は、長手方向中心部に長孔１２を穿設してあり、該長孔１２の長さはアーム全長の２分の１以内の長さとし、他端は物干し竿挿入孔１３、１３・・・が複数個穿設されている形状の竿掛けアーム８とした。
【００４８】
また、本発明の竿掛けアームは長手方向中心部に長孔１２を穿設してあり、該長孔１２の長さはアーム全長の２分の１以上の長さとし、該部分に本来位置する物干し竿挿入孔１３、１３・・・は前記長孔１２の下部に竿掛けアーム８を突出した形状に製作して穿設されてい竿掛けアーム８とした。
【００４９】
更に本発明の竿掛けアーム８の形状は、該アーム８の長手方向下部の縁部に長孔１２を穿設してあり、該長孔１２の長さはアーム全長の２分の１以内の長さとし、該長孔１２の上部には物干し竿挿入孔１３、１３・・・が複数個穿設されているものとした。
【００５０】
【発明の効果】
斯くして、本発明においては、竿掛けアームの長手方向上部縁部にはアーム固定金具の竿掛けアーム挟持部上端に刻設された固定溝に嵌着する鍔状突起が突設されており、該竿掛けアームが鉛直位置になるよう回動して収納状態にある場合に前記鍔状突起が固定溝に嵌着していることで、竿掛けアーム部材の鉛直上向き状態での収納は、枢着軸よりも上方に竿掛けアームの重心があって不安定であっても、収納時の竿掛けアームの保持状態が、前記固定溝と鍔状突起の嵌着にて保持されているために、風によりカタカタと騒音を発生させることはない。
【００５１】
また、本発明のおいては、竿掛けアームの角度保持が、竿掛けアームの基部に穿設した長手方向に伸びる長孔に前記アーム枢着軸を該長孔の範囲で摺動及び回動自在に枢設し、該竿掛けアームの基部の回転方向下側の一端にアーム固定軸嵌着部を設け、該アーム固定軸嵌着部が前記アーム挟持部に植設されたアーム固定軸に嵌着する構成とすることにより、摩耗に依るガタツキを減らし耐用年数の長い物干し竿掛けの竿掛けアーム及びアーム固定金具を提供することが出来た。
【００５２】
而して本発明においては、シンプルな構成部材の組み合わせにて安価で故障の少ない物干し竿掛けが得られ、該物干し竿掛けは竿掛けアームを鉛直位置で収納する上部折り畳み型であることから、足掛かり状態をつくることがなく、安全性の高い製品となった。
【図面の簡単な説明】
【図１】本発明の実施例１を説明する側面図である。
【図２】図１の要部拡大動作説明図である。
【図３】竿掛けアームの形状を説明図する正面図である。
【図４】竿掛けアームの形状を説明する平面図である。
【図５】アーム固定金具を説明する正面図である。
【図６】アーム固定金具を説明する平面図である。
【図７】本発明の実施例２を説明する側面図である。
【図８】図７の要部拡大動作説明図である。
【図９】竿掛けアームの形状を説明する正面図である。
【図１０】竿掛けアームの形状を説明する平面図である。
【図１１】本発明の実施例３を説明する側面図である。
【図１２】図１１の要部拡大動作説明図である。
【図１３】竿掛けアームの形状を説明する正面図である。
【図１４】竿掛けアームの形状を説明する平面図である。
【図１５】従来例を説明する側面図である。
【符号の説明】
１  コンクリート立ち上がり壁
２  支柱固定金具
３  支柱
４  ストッパー
５  アーム固定金具
６  冠着部
７  アーム挟持部
８  竿掛けアーム
９  アーム枢着軸
１０  アーム固定軸
１１  固定溝
１２  長孔
１３  物干し竿挿入孔
１４  ハンガー掛け孔
１５  基部
１６  アーム固定軸嵌着部
１７  上部縁部
１８  鍔状突起
５０  ベランダ柵支柱等に取り付けられる側
５１  固定部材
５２  アーム部材
５３  挿通孔
５４  支持軸
５５  突体
５６  係止部
５７  係止部受け
５８  物干し竿
５９  長孔
【図１】
2004337265.tif 000003
【図２】
2004337265.tif 000004
【図３】
2004337265.tif 000005
【図４】
2004337265.tif 000006
【図５】
2004337265.tif 000007
【図６】
2004337265.tif 000008
【図７】
2004337265.tif 000009
【図８】
2004337265.tif 000010
【図９】
2004337265.tif 000011
【図１０】
2004337265.tif 000012
【図１１】
2004337265.tif 000013
【図１２】
2004337265.tif 000014
【図１３】
2004337265.tif 000015
【図１４】
2004337265.tif 000016
【図１５】
2004337265.tif 000017